(57)【要約】【課題】排出案内流路に残存する液体の量を減少させ、液体の排出が中断された状態でポンピング流路が外部に対して閉鎖されるようにすることが可能な液体ポンプ分配器を提供する。【解決手段】キャップと、ポンピング動作部と、押しボタンと、を有する液体ポンプ分配器において、前記押しボタンは、スライディング案内溝が前記排出案内流路と一直線を形成して、通気孔が前記スライディング案内溝に連結されるよう形成される。また、前記排出案内流路より小さい断面積を有するよう形成され、前記排出案内流路と前記スライディング案内溝に設けられる棒状の開閉本体部と前記スライディング案内溝の内周面に密着されるよう前記開閉本体部の外周面の全周に亘って形成された開閉羽部と前記開閉羽部を前記排出案内流路に向けて加圧するよう前記スライディング案内溝に装着される開閉復帰スプリングを有する流路開閉部を含む。【選択図】図１
2007263103.tif 000002
【特許請求の範囲】
【請求項１】
中央領域に支持管が形成され、前記支持管が液体容器開口に対して一直線状となるように液体容器の上端に結合されるキャップと；上部領域に前記支持管の外周面に密着するよう前記キャップと結合される管状のシリンダーと、長手方向に沿ってポンピング流路が形成されており前記ポンピング流路が前記支持管の内部に位置するよう装着されるピストンと、を有し、前記ピストンの上昇動作時に前記液体容器内の液体が前記シリンダー内に吸入され前記ピストンの下降動作時に前記シリンダーの内部に流入された液体が前記ポンピング流路に圧出されるよう動作するポンピング動作部と；一縦断面が側面領域に露出される排出案内流路が直線状に形成され、一縦断面が底面領域に露出される排出連結流路が前記排出案内流路に連結されるよう形成され、前記排出連結流路が前記ポンピング流路に連通するよう前記ピストンの上端に結合される押しボタンと；を有する液体ポンプ分配器において：
前記押しボタンは、スライディング案内溝が前記排出案内流路と一直線状となるように形成され、通気孔が前記スライディング案内溝に連結されるよう形成され；
前記排出案内流路より小さい断面積を有するよう形成され、前記排出案内流路と前記スライディング案内溝に設けられる棒状の開閉本体部と前記スライディング案内溝の内周面に密着されるように前記開閉本体部の外周面の全周に亘って形成された開閉羽部と前記開閉羽部を前記排出案内流路に向けて加圧するよう前記スライディング案内溝に装着される開閉復帰スプリングとを有し、前記排出案内流路に進入する圧出液体から前記開閉羽部に加わる圧力によって前記開閉本体部が前記排出案内流路を外部に対して開放させる開放位置に後退し前記開閉復帰スプリングから前記開閉羽部に加わる圧力によって前記開閉本体部が前記排出案内流路を外部に対して閉鎖させる閉鎖位置に前進するよう動作する流路開閉部と；を備えることを特徴とする、液体ポンプ分配器。
【請求項２】
内周面に前記開閉本体部の直線運動を案内する案内リブが長手方向に沿って形成され、前記排出案内流路に連通されるよう前記押しボタンの前面に結合されるノズルをさらに含み、
前記流路開閉部は、前記開閉本体部が前記ノズルの開口を開閉するよう直線移動することを特徴とする、請求項１に記載の液体ポンプ分配器。
【請求項３】
前記排出連結流路は、前記ポンピング流路の連結領域が前記排出案内流路の連結領域より大きい断面積を有するよう形成されることを特徴とする、請求項１または２に記載の液体ポンプ分配器。
【発明の詳細な説明】
【技術分野】
【０００１】
本発明は、液体ポンプ分配器（Ｌｉｑｕｉｄ  Ｐｕｍｐ  Ｄｉｓｐｅｎｓｅｒ）に係り、より詳しくは、液体容器に貯蔵された化粧品等の液体をポンピング（Ｐｕｍｐｉｎｇ）方式によって外部に排出させるための装置に関する。
【背景技術】
【０００２】
近年、液体容器の上端に結合されて液体容器に貯蔵された化粧品等の液体をポンピング方式で外部に排出させるための液体ポンプ分配器が案出されて使用されている。本明細書において液体という表現は、クリームのようにポンピング動作を行うことができる程度の粘性を有する物質を総称する。
【０００３】
図８は、従来の液体ポンプ分配器の結合断面図である。
【０００４】
従来の液体ポンプ分配器は、図８に図示したように、ポンピング動作により排出される液体を収容するための液体容器（図示せず）の上端に結合されるキャップ１１０と、キャップ１１０に結合される管形状シリンダー１２１及びピストン１３０を備えたポンピング動作部１２０と、ピストン１３０の上端に結合される押しボタン１４０と、押しボタン１４０の前面に設けられたノズル１５０と、を有している。
【０００５】
キャップ１１０は、液体容器の上端（首部）に、例えば、ねじ結合される。
【０００６】
ポンピング動作部１２０は、シリンダー１２１とピストン１３０に加えてシリンダー１２１の内部の下側開口に装着されたボール弁１２２と、外周面がシリンダー１２１の内周面に密着するように設けられた密閉リング１２３と、ピストン１３０の下端とボール弁１２２との間の領域に起立して設けられたポンピング復帰スプリング１２４と、を有している。シリンダー１２１は、上部領域を通じて締りばね方式でキャップ１１０に結合される。
【０００７】
ピストン１３０は、キャップ１１０を貫通するように設けられた管状の作動ピストン１３１と、密閉リング１２３を貫通するように設けられた開閉ピストン１３２と、を有している。
【０００８】
開閉ピストン１３２は、外周面に溝形態のポンピング流路１３２ｂが四つ形成されているピストン足部１３２ａと、ピストン足部１３２ａの下端に形成されたピストン頭部１３２ｃと、を有している。
【０００９】
ポンピング復帰スプリング１２４は、一対の支持部材１２４ａを通じてピストン頭部１３２ｃの底面とシリンダー１２１の内部下端に支持される。
【００１０】
前述した構成を有するポンピング動作部１２０は、次のよう動作する。
【００１１】
作動ピストン１３１に下方向に圧力が加わると、シリンダー１２１の内部の液体はポンピング流路１３２ｂに圧出される。
【００１２】
また、作動ピストン１３１に加わった圧力を解除すれば、ポンピング流路１３２ｂへの圧出動作は中止され、液体容器に貯蔵された液体がシリンダー１２１の内部に流入される。
【００１３】
押しボタン１４０は、ボタン本体部１４１と、ボタン本体部１４１の底面に形成された連結流路管１４２と、連結流路管部１４２の周り領域に配置されるようにボタン本体１４１から延長して形成された乗降壁部１４３と、を有する。
【００１４】
ボタン本体１４１には、左側の終端がボタン本体１４１の左側面領域に露出されるように直線状の排出案内流路１４１ｂが形成される。
【００１５】
また、ボタン本体部１４１には排出連結孔１４１ａが連結流路管部１４２と排出案内流路１４１ｂとを連結するように形成されている。ここで、排出連結孔１４１ａは、連結流路管部１４２の中央に位置するように形成されている。排出連結孔１４１ａ及び連結流路管部１４２は共に排出連結流路を形成する。
【００１６】
連結流路管部１４２は、内壁面に複数のストッパーフック１４２ａが排出連結孔１４１ａの周り領域に配置されるように形成されている。
【００１７】
このような構成を有する押しボタン１４０は、連結流路管部１４２がポンピング流路１３２ｂに連通するように作動ピストン１３１の上端に結合される。
【００１８】
このように押しボタン１４０が作動ピストン１３１の上端に結合されることによって押しボタン１４０を押すれば、作動ピストン１３１の下方向に圧力が加わり、作動ピストン１３１が上昇すれば、押しボタン１４０は元位置に上昇される。
【００１９】
ノズル１５０は、排出案内流路１４１ｂと連通するよう押しボタン１４０の前面に結合される。
【発明の開示】
【発明が解決しようとする課題】
【００２０】
しかし、従来の液体ポンプ分配器によると、液体の外部排出が中断された状態でポンピング流路１３２ｂが外部に開放されるので外部とポンピング流路１３２ｂとの間に気体流路が形成されるという問題がある。
【００２１】
このように外部とポンピング流路１３２ｂとの間に気体流路が形成されることによって、気体流路を通じて流入される空気との接触によって液体容器に貯蔵された液体が変質されたり、気体流路を通じて水分が蒸発することによってノズル１５０、排出案内流路１４１ｂ、排出連結流路１４１ａ、１４２またはポンピング流路１３２ｂに残存している液体が固化されて排出機能が低下する恐れもある。特に、ノズル１５０または排出案内流路１４１ｂの前端に残っている液体が固化する場合には排出機能が顕著に低下する。
【００２２】
また、液体の排出が中断されれば、ノズル１５０と排出案内流路１４１ｂを通過する液体はそのまま残っているのでノズル１５０と排出案内流路１４１ｂに残留量が増えるという問題がある。
【００２３】
そこで、本発明は、このような問題に鑑みてなされたもので、その目的は、排出案内流路に残存する液体の量を減少させ、液体の排出が中断された状態でポンピング流路が外部に対して閉鎖されるようにすることが可能な、新規かつ改良された液体ポンプ分配器を提供することにある。
【課題を解決するための手段】
【００２４】
上記課題を解決するために、本発明の第１の観点によれば、中央領域に支持管が形成され、前記支持管が液体容器開口に対して一直線状となるように液体容器の上端に結合されるキャップと；上部領域に前記支持管の外周面に密着するよう前記キャップと結合される管状のシリンダーと、長手方向に沿ってポンピング流路が形成されており前記ポンピング流路が前記支持管の内部に位置するよう装着されるピストンと、を有し、前記ピストンの上昇動作時に前記液体容器内の液体が前記シリンダー内に吸入され前記ピストンの下降動作時に前記シリンダーの内部に流入された液体が前記ポンピング流路に圧出されるよう動作するポンピング動作部と；一縦断面が側面領域に露出される排出案内流路が直線状に形成され、一縦断面が底面領域に露出される排出連結流路が前記排出案内流路に連結されるよう形成され、前記排出連結流路が前記ポンピング流路に連通するよう前記ピストンの上端に結合される押しボタンと；を有する液体ポンプ分配器において：前記押しボタンは、スライディング案内溝が前記排出案内流路と一直線状となるように形成され、通気孔が前記スライディング案内溝に連結されるよう形成され；前記排出案内流路より小さい断面積を有するよう形成され、前記排出案内流路と前記スライディング案内溝に設けられる棒状の開閉本体部と前記スライディング案内溝の内周面に密着されるように前記開閉本体部の外周面の全周に亘って形成された開閉羽部と前記開閉羽部を前記排出案内流路に向けて加圧するよう前記スライディング案内溝に装着される開閉復帰スプリングとを有し、前記排出案内流路に進入する圧出液体から前記開閉羽部に加わる圧力によって前記開閉本体部が前記排出案内流路を外部に対して開放させる開放位置に後退し前記開閉復帰スプリングから前記開閉羽部に加わる圧力によって前記開閉本体部が前記排出案内流路を外部に対して閉鎖させる閉鎖位置に前進するよう動作する流路開閉部と；を備える液体ポンプ分配器が提供される。
【００２５】
ここで、開閉本体部の直線運動を安定的に維持することができるように、内周面に前記開閉本体部の直線運動を案内する案内リブが長手方向に沿って形成され、前記排出案内流路に連通されるよう前記押しボタンの前面に結合されるノズルをさらに含み、
前記流路開閉部は、前記開閉本体部が前記ノズルの開口を開閉するよう直線移動するように構成することができる。
【００２６】
また、前記排出連結流路は、前記ポンピング流路の連結領域が前記排出案内流路の連結領域より大きい断面積を有するよう形成されることが好ましい。
【００２７】
かかる構成を有することにより、本発明によれば、液体容器に貯蔵された液体が空気に接触されて変質したり、排出案内流路、排出連結流路またはポンピング流路上に残っている液体が固化されて液体排出動作が妨害されたりすることを防止することができ、排出案内流路上の残留量を減少させることができる。
【発明の効果】
【００２８】
本発明によれば、液体の排出が中断された状態でポンピング流路が外部に対して閉鎖されることによって、液体容器に貯蔵された液体が空気に接触されて変質したり、排出案内流路、排出連結流路またはポンピング流路上に残っている液体が固化して液体排出動作が妨害されることを防止することができる。また、排出案内流路上の残留量を減少させることができる。
【発明を実施するための最良の形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
図１は、本発明の一実施形態による液体ポンプ分配器の結合斜視図であり、図２は、本発明の一実施形態による液体ポンプ分配器の分解斜視図であり、図３は、本発明の一実施形態による液体ポンプ分配器の結合断面図であり、図４は、図３に図示した押しボタンの底面図であり、図５は、図３に図示したノズルの横断面図である。
【００３１】
本発明の一実施形態による液体ポンプ分配器は、図１から図５に示すように、液体容器２０１の上端に結合されるキャップ１０と、キャップ１０に結合される管状のシリンダー２１及びピストン３０を備えたポンピング動作部２０と、ピストン３０の上端に結合される押しボタン４０と、押しボタン４０の前面に設けられたノズル５０と、押しボタン４０の内部に設けられた流路開閉部６０と、を有している。
【００３２】
キャップ１０は、中央領域に支持管１１ａが上下方向に沿って形成された天井部１１と、天井部１１から下向き階段形状に延長された連結部１２と、連結部１２から下向きに折曲して形成された容器結合壁部１３と、連結部１２から上向きに折曲して形成された案内壁部１４と、を有している。容器結合壁部１３は、内周面にねじ溝１３ａが形成されている。
【００３３】
かかる構成を有するキャップ１０は、支持管１１ａが液体容器開口に対して一直線状となるように液体容器２０１の上端（首部）にねじ結合される。
【００３４】
ポンピング動作部２０は、シリンダー２１と、ピストン３０に加えてシリンダー２１の内部の下側開口付近に装着されたボール弁２２と、外周面がシリンダー２１の内周面に密着されるように設けられた密閉リング２３と、ピストン３０の下端とボール弁２２との間の領域に立設されたポンピング復帰スプリング２４と、を有している。
【００３５】
シリンダー２１は、上部領域の外周面に支持フランジ２１ｃが外側に向いて形成されており、下部領域に狭径シリンダー部２１ａとテーパシリンダー部２１ｂが連続的に形成されている。
【００３６】
かかる構成を有するシリンダー２１は、支持フランジ２１ｃの上部領域を通じて支持管１１ａの外周面に密着され支持フランジ２１ｃが連結部１２に接触するようにキャップ１０に結合される。また、シリンダー２１には、漏れ防止リング２５が支持フランジ２１ｃの底面に接触するように装着される。
【００３７】
ピストン３０は、支持管１１ａを貫通するように設けられた管状の作動ピストン３１と、密閉リング２３を貫通するように設けられた開閉ピストン３２と、を有している。
【００３８】
作動ピストン３１は、内部の上端領域にピストン加圧拡径部３１ａが形成されており、下部領域にピストン加圧拡径部３１ａよりも径の大きなリング加圧拡径部３１ｂが形成されている。
【００３９】
開閉ピストン３２は、外周面に溝形態のポンピング流路３２ｂが四つ形成されているピストン足部３２ａと、ピストン足部３２ａの下端に形成されたピストン頭部３２ｃと、を有している。この開閉ピストン３２は、ピストン頭部３２ｃの側面が密閉リング２３の内周面に接触し、ピストン足部３２ａの上端がピストン加圧拡径部３１ａに接触されるように設けられる。これによって、ポンピング流路３２ｂが支持管１１ａの内部に位置するようになる。
【００４０】
ポンピング復帰スプリング２４は、一対の支持部材２４ａを通じてピストン頭部３２ｃの底面とテーパーシリンダー部２１ｂに支持される。
【００４１】
上述した構成を有するポンピング動作部２０は、次のように動作する（図６及び図７参照）。まず、作動ピストン３１に下方向に圧力が加わると、作動ピストン３１及び開閉ピストン３２が下降する。次に、開閉ピストン３２が下降すると、密閉リング２３とピストン頭部３２ｃとの間に空隙が発生し、シリンダー２１の内部の液体がポンピング流路３２ｂに圧出される。さらに、作動ピストン３１が下降して密閉リング２３に接触した後は、密閉リング２３が作動ピストン３１に押圧されて、密閉リング２３は作動ピストン３１とともに下降する。このように、密閉リング２３が下降する間、ポンピング流路３２ｂへの液体の圧出動作は続けられる。また、開閉ピストン３２が下降する間は、ポンピング復帰スプリング２４は、収縮されて弾性力が蓄積される。
【００４２】
一方、作動ピストン３１に加えられた圧力が解除されると、ポンピング復帰スプリング２４の弾性力（復元力）によって開閉ピストン３２が作動ピストン３１とともに上昇する。開閉ピストン３２が上昇して、ピストン頭部３２ｃが密閉リング２３に接触すれば、密閉リング２３とピストン頭部３２ｃとの間の空隙が消滅し、ポンピング流路３２ｂへの液体の圧出動作が停止される。液体の圧出動作の停止後、密閉リング２３、開閉ピストン３２及び作動ピストン３１はともに上昇する。密閉リング２３と開閉ピストン３２がともに上昇することによってシリンダー２１の内部には負圧が発生し、ボール弁２２は、シリンダー２１の下側開口が開放されるよう上昇する。
【００４３】
ボール弁２２が離脱すると、液体容器２０１に収容された液体は、吸入管２０２を通じてシリンダー２１内に流入する。
【００４４】
押しボタン４０は、ボタン本体部４１と、ボタン本体部４１の底面に形成された連結流路管部４２と、連結流路管部４２の周りの領域に配置されるようにボタン本体４１から延長して形成された乗降壁部４３と、を有する。
【００４５】
ボタン本体４１には、左側の終端がボタン本体４１の左側面領域に露出されるように直線状の排出案内流路４１ｂが形成される。
【００４６】
また、ボタン本体部４１には排出連結孔４１ａが連結流路管部４２と排出案内流路４１ｂとを連結するように形成されている。ここで、排出連結孔４１ａは、連結流路管部４２の中央からノズル５０方向にかたよった領域で連結流路管部４２より小さい断面積を有するよう形成される。このように、排出連結孔４１ａの断面積を連結流路管部４２より小さくすることによって、圧出液体から開閉羽部６２に加わる圧力を増加させることができるようになる。排出連結孔４１ａと連結流路管部４２は共に排出連結流路を構成する。
【００４７】
また、ボタン本体部４１には、スライディング案内溝４１ｃが排出案内流路４１ｂと一直線状となるように形成され、通気孔４１ｄがスライディング溝４１ｃに連結されるように形成されている。連結流路管部４２は、内壁面に複数のストッパーフック４２ａが排出連結孔４１ａから外れた領域に配置されるように形成されている。
【００４８】
このような構成を有する押しボタン４０は、連結流路管部４２がポンピング流路３２ｂに連通するように作動ピストン３１の上端に結合される。
【００４９】
押しボタン４０を作動ピストン３１の上端に結合することによって押しボタン４０を押圧すると、作動ピストン３１の下方向に圧力が加わり、作動ピストン３１が上昇すると、押しボタン４０は元の位置まで上昇する。
【００５０】
ノズル５０は、内周面に開閉本体部６１の直線運動を案内する３つの案内リブ５１が長手方向に沿って形成される。このように、ノズル５０に案内リブ５１を形成することによって、後述する開閉本体部６１の直線運動を安定的に維持することができるようになる。
【００５１】
このような構成を有するノズル５０は、排出案内流路４１ｂに連通するよう押しボタン４０の前面に結合される。押しボタン４０に対するノズルの結合状態は、排出案内流路４１ｂの内壁面に形成されたリング状の固定フック４１ｅとノズル４０の外周面に形成されたリング状の固定溝５２を通じて安定的に維持される。
【００５２】
流路開閉部６０は、排出案内流路４１ｂとスライディング案内溝４１ｃに設けられる棒状の開閉本体部６１と、開閉本体部６１の外周面の全周に亘って形成された開閉羽部６２と、開閉羽部６２を排出案内流路４１ｂに向けて加圧するようスライディング案内溝４１ｃに装着される開閉復帰スプリング６３と、を有している。
【００５３】
開閉本体部６１は、排出案内流路４１ｂより小さい断面積を有するよう、即ち、案内リブ５１の間に配置されるよう形成される。開閉羽部６２は、スライディング案内溝４１ｃの内周面に密着されるように形成される。この開閉羽部６２は、開閉本体部６１と一体的に線形低密度のポリエチレン（Ｌｉｎｅａｒ  Ｌｏｗ  Ｄｅｎｓｉｔｙ  Ｐｏｌｙｅｔｈｙｌｅｎｅ）等の材質で製作することができる。
【００５４】
このような構成を有する流路開閉部６０は、次のように動作する（図６及び図７参照）。作動ピストン３１を略鉛直方向下向きに加圧する動作によってポンピング流路３２ｂに圧出された液体は、連結流路管部４２と排出連結孔４１ａを通じて排出案内流路４１ｂに続いて進入する。
【００５５】
排出案内流路４１ｂに進入した液体が開閉本体部６１と開閉羽部６２との隙間に流入すると、開閉羽部６２にノズル後方側（図６では右矢印の方向）に圧力が加わり、この加えられた圧力によって、開閉本体部６１が後退する。開閉本体部６１が後退すると、通気孔４１ｄを通じて空気が排出され、開閉復帰スプリング６３が収縮して弾性力が蓄積される。
【００５６】
また、開閉本体部６１が後退することによってノズル５０の開口部は開放され、排出案内流路４１ｂは外部に対して開放状態になる。ノズル５０の開口部が開放されると、液体は案内リブ５０の間の空間を通じて外部に排出される。
【００５７】
一方、押しボタン４０に対する押し操作を解除すると、作動ピストン３１が元の位置まで上昇し、ポンピング流路３２ｂへの液体圧出動作は中断される。
【００５８】
ポンピング流路３２ｂに圧出動作が中断されると、開閉復帰スプリング６３から開閉羽部６２に加わる弾性力（復元力）によって開閉本体部６１は前進する（図７では左向きの矢印の方向に移動する）。ここで、開閉本体部６１が前進する間に通気孔４１ｄを通じて空気がスライディング案内溝４１ｃに流入される。
【００５９】
開閉本体部６１が案内リブ５１を超えて前進すると、排出案内流路４１ｂの前端に残っている液体はノズル５０を通じて外部に排出される。このような開閉本体部６１の前進動作は、開閉本体部６１の前端がノズル５０の開口部を閉鎖する時まで続けられる。
【００６０】
ノズル５０の開口部が閉鎖されると、排出案内流路４１ｂは外部に対して閉鎖状態になる。また、ノズル５０の開口部が閉鎖されると、液体の排出動作は押しボタン４０が再度押し操作される時まで中断される。
【００６１】
上述した本発明の一実施形態によると、液体の圧出動作に連動して排出案内流路４１ｂを開閉する流路開閉部６０を設けることによって、液体の外部排出が中断された状態ではポンピング流路３２ｂが外部に対して閉鎖される。これによって、液体容器２０１に貯蔵された液体が空気に接触して変質したり、ノズル５０、排出案内流路４１ｂ、連結流路管部４２、排出連結孔４１ａまたはポンピング流路３２ｂ上に残っている液体が固化して液体排出動作が妨害されたりすることを防止することができる。
【００６２】
また、開閉本体部６１が案内リブ５１を超えて前進する時、排出案内流路４１ｂの前端に残っている液体が開閉本体部６１によって排出されるので排出案内流路４１ｂの前端に残っている液体の量を減少させることができる。
【００６３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６４】
【図１】本発明の実施形態による液体ポンプ分配器の結合斜視図である。
【図２】本発明の実施形態による液体ポンプ分配器の分解斜視図である。
【図３】本発明の実施形態による液体ポンプ分配器の結合断面図である。
【図４】図３に図示した押しボタンの底面図である。
【図５】図３に図示したノズルの横断面図である。
【図６】本発明の各実施形態による液体ポンプ分配器の動作状態図である。
【図７】本発明の各実施形態による液体ポンプ分配器の動作状態図である。
【図８】従来の液体ポンプ分配器の結合断面図である。
【符号の説明】
【００６５】
１０、１１０      キャップ
２０、１２０      ポンピング動作部
２１、１２１      シリンダー
２２、１２２      ボール弁
２３、１２３      密閉リング
２４、１２４      ポンピング復帰スプリング
３０、１３０      ピストン
３１、１３１      ピストン足部
３２、１３２      ピストン頭部
４０、１４０      押しボタン
４１ａ、１４０ａ      排出連結流路
４１ｂ、１４０ｂ      排出案内流路
４１ｃ      スライディング案内溝
４１ｄ      通気孔
５０、１５０      ノズル
５１      案内リブ
６０      流路開閉部
６１      開閉本体部
６２      開閉羽部
６３      開閉復帰スプリング
【図１】
2007263103.tif 000003
【図２】
2007263103.tif 000004
【図３】
2007263103.tif 000005
【図４】
2007263103.tif 000006
【図５】
2007263103.tif 000007
【図６】
2007263103.tif 000008
【図７】
2007263103.tif 000009
【図８】
2007263103.tif 000010